(57)【特許請求の範囲】
【請求項１】
床面に接地する支持部及び該支持部により前記床面から所定高さ位置に支持される略矩形状の座部を有するソファーと他の家具との組み合わせにて構成されるソファーユニットであって、
前記支持部は、脚と、該脚の上部に形成され前記座部の一部に固定される固定部を備える矩形状の固定板と、を有し、
前記固定板は、前記座部の角部を構成する２辺に該固定板の一方の２辺が沿うように配置されており、
前記固定板の他方の２辺に、前記家具に付属する付属物品が取り付けられる物品取付部がそれぞれ設けられている、
ことを特徴とするソファーユニット。
【請求項２】
前記座部は平面視略正方形状に形成されている、
ことを特徴とする請求項１に記載のソファーユニット。
【請求項３】
前記固定板は、平面視略正方形状に形成されている、
ことを特徴とする請求項１または２に記載のソファーユニット。
【請求項４】
前記脚は、前記固定板における前記座部の側辺に対応する外側辺近傍位置に配置されている、
ことを特徴とする請求項１から３のいずれかに記載のソファーユニット。
【発明の詳細な説明】
【技術分野】
【０００１】
本発明は、床面に接地する支持部及び該支持部により前記床面から所定高さ位置に支持される被支持部からなるソファーを含む複数の家具にて構成されるソファーユニットに関する。
【背景技術】
【０００２】
従来、この種のソファーユニットは、例えば、オフィスやホテル等の応接間やロビーに設置され、利用者がソファーに着座して休息したり寛いだりするためのものであった。
【０００３】
しかし近年においては、業務形態の変化に伴い、従業員同士がリラックスした状態でコミュニケーションをとりながら打ち合わせ等を行うスペースとして利用され始めており、ソファーに着座しながらパソコンや持ち込んだ資料等を使用する機会が増加する傾向がある（例えば、特許文献１参照）。
【先行技術文献】
【特許文献】
【０００４】
【特許文献１】特開２００４−１７４０８７号公報
【発明の概要】
【発明が解決しようとする課題】
【０００５】
しかし、上記特許文献１に記載のソファーユニットは、利用形態に応じてソファーだけでなく、例えば、業務エリアとコミュニケーションエリアとを区分けすること等を目的として、ソファーの周囲の目線を遮るパネル等のソファーに付属する付属物品を配設することがあるが、このようなパネルをソファーとは個別に配設する場合、安定して立設支持するための設置部材が床面上に張り出して利用者の邪魔になることがあるといった問題があった。
【０００６】
本発明は、このような問題点に着目してなされたもので、家具を利用して該家具に付属する付属物品の施工性を向上させることができるソファーユニットを提供することを目的とする。
【課題を解決するための手段】
【０００７】
前記課題を解決するために、本発明のソファーユニットは、
床面に接地する支持部及び該支持部により前記床面から所定高さ位置に支持される略矩形状の座部を有するソファーと他の家具との組み合わせにて構成されるソファーユニットであって、
前記支持部は、脚と、該脚の上部に形成され前記座部の一部に固定される固定部を備える矩形状の固定板と、を有し、
前記固定板は、前記座部の角部を構成する２辺に該固定板の一方の２辺が沿うように配置されており、
前記固定板の他方の２辺に、前記家具に付属する付属物品が取り付けられる物品取付部がそれぞれ設けられている、
ことを特徴としている。
この特徴によれば、家具に対し付属物品を一体化できることで、付属物品を独立して配設するための設置部材等を別途必要としないばかりか、固定板に、支持部を被支持部に固定するための固定部とは別個に、付属物品を取り付けるための物品取付部が設けられていることで、付属物品を、被支持部を支持する強固な固定板に安定的に、かつ、床面と被支持部の下面との間に形成される空間を利用して目立たない箇所で取り付けることができる。
尚、前記家具は、前記被支持部が前記支持部により床面から所定高さ位置に支持されるものであれば、ソファー以外のものでもよく、例えばソファーとともに使用される足載せ台やテーブル等を含む。
【０００９】
本発明のソファーユニットは、
前記座部は平面視略正方形状に形成されている、
ことを特徴としている。
この特徴によれば、家具のレイアウトの自由度が向上する。
【００１０】
本発明のソファーユニットは、
前記固定板は、平面視略正方形状に形成されている、
ことを特徴としている。
この特徴によれば、付属物品を被支持部の四辺いずれでも同じように取り付けることができるばかりか、家具のレイアウト変更等に伴う付属物品の取付位置の変更に容易に対応することができる。
【００１１】
本発明のソファーユニットは、
前記脚は、前記固定板における前記座部の側辺に対応する外側辺近傍位置に配置されている、
ことを特徴としている。
この特徴によれば、固定板に対し脚が偏った位置に設けられていることで、物品取付部に対する付属物品の取り付けの際に脚が邪魔になりにくいので、施工性が向上する。
【図面の簡単な説明】
【００１２】
【図１】本発明の実施例としてのソファーユニットを示す斜視図である。
【図２】図１のソファーユニットの一部の構成を示す分解斜視図である。
【図３】（ａ）は脚部材を示す側面図、（ｂ）は底面図である。
【図４】（ａ）は網状部材を示す斜視図、（ｂ）は（ａ）のＡ−Ａ断面図である。
【図５】ソファーを示す底面図である。
【図６】図５のＢ−Ｂ断面図である。
【図７】配線収容状況を示す斜視図である。
【図８】（ａ）は図７の要部拡大断面図、（ｂ）は（ａ）の要部拡大断面図である。
【図９】家具のレイアウトの他の例を示す図である。
【図１０】物品保持部材の他の例を示す図である。
【発明を実施するための形態】
【００１３】
本発明に係るソファーユニットを実施するための形態を実施例に基づいて以下に説明する。
【実施例１】
【００１４】
実施例１に係るソファーユニットにつき、図１〜図７を参照して説明する。図１は、本発明の実施例としてのソファーユニットを示す斜視図である。図２は、図１のソファーユニットの一部の構成を示す分解斜視図である。図３は、（ａ）は脚部材を示す側面図、（ｂ）は底面図である。図４は、（ａ）は網状部材を示す斜視図、（ｂ）は（ａ）のＡ−Ａ断面図である。図５は、ソファーを示す底面図である。図６は、図５のＢ−Ｂ断面図である。図７は、配線収容状況を示す斜視図である。図８は、（ａ）は図７の要部拡大断面図、（ｂ）は（ａ）の要部拡大断面図である。尚、以下、図１の紙面左斜め角部側をソファーユニット１の正面側（前方側）とし、紙面右斜め上側をソファーユニットの正面側（前方側）として説明する。
【００１５】
図１及び図２に示すように、ソファーユニット１は、複数（本実施例では２つ）のソファー２ａ，２ｂと、ソファー２ｂに並設して使用されるローテーブル３と、から主に構成されている。また、ソファー２ａ，２ｂ及びローテーブル３の側面には、所定高さを有する仕切板４が取り付けられている。また、ソファー２ａ，２ｂの下面側には、後述する物品収容ネット５（図２参照）が取り付けられているとともに、ソファー２ａの前面下部には、後述するコンセントバー６が取り付けられている。
【００１６】
ソファー２ａ，２ｂは、床面Ｙに接地する支持部を構成する複数（本実施例では４本）の脚部材１０と、該脚部材１０により床面Ｙから所定高さ位置（本実施例では床面Ｙから約２００ｍｍ上方位置）に支持される被支持部としての座部１１と、座部１１の上面縁部に設けられる背凭れ部１２と、から構成されている。これら座部１１の上面までの高さ位置は全て同じとされている。
【００１７】
ローテーブル３は、床面Ｙに接地する支持部を構成する複数（本実施例では４本）の脚部材２０と、該脚部材２０により床面Ｙから所定高さ位置（本実施例では床面Ｙから約２００ｍｍ上方位置）に支持される被支持部としての座部２１と、座部２１の上面縁部に設けられる天板２２と、から構成されている。また、座部２１及び天板２２には、平面視正方形状の配線溝２２ａが形成されている。
【００１８】
座部１１，２１は、平面視略正方形状をなす直方体にて構成されるクッション材からなる。尚、本実施例では、脚部材１０と脚部材２０及び座部１１と座部２１は、それぞれ同一部材にて構成されているが、別部材にて構成されていてもよい。
【００１９】
図３に示すように、脚部材１０，２０は、下端が床面Ｙに接地する脚部１５と、該脚部１５の上部に形成され被支持部としての座部１１，２１に固定される固定板１６と、から構成される金属部材からなる。
【００２０】
具体的には、脚部１５の下端部には、床面Ｙに接地するアジャスタ３２が高さ調整可能に取り付けられている。また、固定板１６は、平面視略正方形状をなす所定板厚の板部材からなり、脚部１５の上端部から水平方向に屈曲された受部３３の上面に、脚部１５に対し略直交するように略水平に溶着されている。このように固定板１６は、上下方向に延びる脚部１５の軸心に対し中心位置が水平方向にずれた位置に配置されることで、脚部１５は固定板１６の周縁外側近傍に位置している。より詳しくは、固定板１６は、その下面略中央位置から一の角部に向けて受部３３により下方から支持されるように固着されている。
【００２１】
また、固定板１６には、脚部材１０，２０を座部１１（２１）に固定するための固定ネジＮ１が取り付けられる上下方向を向く複数（本実施例では４つ）の固定孔３４ａ及び係止ピン付固定ネジＮ２が取り付けられる上下方向を向く固定孔３４ｂが縁辺に沿うように形成されている。これら固定孔３４ａ，３４ｂは、固定ネジＮ１のネジ部が挿通される小径孔３４ｃと頭部が収容される大径孔３４ｄとから構成されており、大径孔３４ｄが下面に開放するように形成されている。
【００２２】
よって、固定板１６の下面側から各固定孔３４ａに固定ネジＮ１を取り付け、固定孔３４ｂに係止ピン付固定ネジＮ２を取り付けて、座部１１，２１の下面に螺入することで、脚部材１０，２０を固定板１６を介して座部１１，２１に固定することができる。
【００２３】
固定板１６は、略正方形状の座部１１，２１の下面の四隅（角部）に固定されているので、各脚部１５，１５間の離間幅寸法は全て同一とされている。また、各脚部１５は固定板１６の角部に偏って配置されていることで、座部１１，２１の下面の各角部において座部１１，２１の側辺に限りなく近い位置に配置される（図５参照）。
【００２４】
角部に形成された固定孔３４ａと固定孔３４ｂとの間には、固定板１６の下面に対し下方に向けて所定高さ（例えば、約２ｍｍ）隆起する帯板状の隆起部３６ａ，３６ｂが、縁辺に沿って延設されている。また、隆起部３６ａ，３６ｂの長手方向の両端部には、仕切板４やコンセントバー６を取り付けるための取付ネジＮ３，４が取り付けられる上下方向を向く取付孔３７ａ，３７ｂが形成されている。
【００２５】
このように、取付孔３７ａ，３７ｂが形成された隆起部３６ａ，３６ｂは、固定板１６における内側辺に沿って延設されている。より詳しくは、隆起部３６ａは、座部１１，２１の第１側辺（例えば、前側辺）に対応する第１取付部であり、隆起部３６ｂは、座部１１，２１の第２側辺（例えば、右側辺）に対応する第２取付部を構成している。また、隆起部３６ａは、座部１１，２１の第１側辺（例えば、前側辺）に対して略直交する方向（前後方向）に延設され、隆起部３６ｂは、座部１１，２１の第２側辺（例えば、右側辺）に対して略直交する方向（左右方向）に延設されている（図中点線参照）。すなわち、隆起部３６ａ，３６ｂは、座部１１，２１の第１側辺と前記第２側辺との間に延設される対角線、つまり、受部３３に沿う対角線を基準として線対称に配設されている（図５参照）。
【００２６】
図４に示すように、物品収容ネット５は、平面視略正方形状に形成された網状部４０と、該網状部４０の周囲に設けられ、平面視四角枠状に形成された枠状部４１と、から構成される。
【００２７】
網状部４０は、伸縮性を有する所定太さの複数のゴム紐を網目状に配置して編み込むことにより、所定深さを有するように側面視略皿状（凹状）に形成されている。尚、網状部４０の網目の大きさは任意であるが、配線を挿通可能、かつ、後述する電気機具Ｅ１〜Ｅ４等を挿通不能な大きさ（例えば、約１０ｍｍ〜５０ｍｍ四方の範囲内）であることが好ましいが、伸縮性を有する繊維からなるメッシュシートや布材等にて網状部４０を形成してもよい。
【００２８】
枠状部４１は、弾性変形可能な所定板厚を有し、網状部４０を構成するゴム材よりも硬質な硬質ゴム板材にて枠状に形成されており、その四隅には、座部１１，２１の下面に取り付けるための取付孔４２が形成されているとともに、内周縁には、網状部４０の周縁部が接着されている。また、網状部４０は、枠状部４１から僅かに下方に撓むように取り付けられる。
【００２９】
このように構成された物品収容ネット５は、座部１１，２１の下面四隅に取り付けられた脚部材１０，２０の固定板１６の内側角部に取り付けられた係止ピン付き固定ネジＮ２に取付孔４２を通して係止することで、図６及び図８に示すように、座部１１，２１の下面に沿うように略水平に取り付けられる。そして、座部１１，２１の下面と該下面に取り付けられた物品収容ネット５との間に、物品を収容可能な収容空間部が形成されている。
【００３０】
仕切板４は、縦長長方形状をなし、心材としてアクリル樹脂板とその外面を被覆する布材にて構成されており、固定板１６に取り付けられる一対の仕切板ブラケット５０ａ，５０ｂと、仕切板４の内外面に固定される内補強金具５１ａ，５１ｂ及び外補強金具５２ａ，５２ｂと、からなる係止手段を介して座部１１，１２に対し係脱できるようになっている。
【００３１】
内補強金具５１ａ，５１ｂは仕切板４の内面（座部側の面）左右側、外補強金具５２ａ，５２ｂは仕切板４の外面（座部１１側と反対側の面）左右側にそれぞれ配置され、仕切板４の下端から上下方向の略中央位置まで延びる帯状の金属板にて構成されており、上端及び下部に内面側から取り付けられる複数の取付ネジＮ５及び下方位置に設けられる上下一対の係止ピン付きネジＮ６により、仕切板４の内外面に配置され該仕切板４を内外から挟持した状態で一体化される。
【００３２】
このように、仕切板４の下部内外面左右側に内補強金具５１ａ，５１ｂ及び外補強金具５２ａ，５２ｂが取り付けられ一体化されることで、仕切板４の撓みが防止される。また、係止ピン付きネジＮ６は、内補強金具５１ａ，５１ｂ及び外補強金具５２ａ，５２ｂを一体化したときに、内補強金具５１ａ，５１ｂから突出する。
【００３３】
仕切板ブラケット５０ａ，５０ｂは、固定板１６に取り付けられる水平な取付片５３ａと、該取付片５３ａの一端に略垂直に設けられる係止片５３ｂと、から構成されている。取付片５３ａには、取付ネジＮ３の取付孔５４が２個形成されており、下面側から取り付けた取付ネジＮ３を固定板１６の取付孔３７ｂに螺入することで、隆起部３６ｂに取り付けできる。
【００３４】
一方、係止片５３ｂには、係止ピン付きネジＮ６の頭部を挿通可能な大径部と該大径部から下方に延設される溝部とを有するダルマ孔５５が上下部にそれぞれ形成されており、係止ピン付きネジＮ６を大径部から挿通して溝部内を下降させることで、溝部の下端に該溝部から離脱不能に係止される。これにより、上下方向を向く係止片５３ｂと内補強金具５１ａとの対向面が長手方向にわたり当接して一体化されるため、仕切板４が起立姿勢で安定して維持される。
【００３５】
このように、仕切板４は、仕切板ブラケット５０ａ，５０ｂを介して座部１１の下面に固定された固定板１６に取り付けられる。また、取付片５３ａが隆起部３６ｂの下面に取り付けられることで、その周囲にある固定孔３４ａ，３４ｂに取り付けられた固定ネジＮ１，Ｎ２の頭部が大径孔から突出しても、取付片５３ａの取り付け時に固定ネジＮ１，Ｎ２の頭部が邪魔になることがない。
【００３６】
また、各仕切板４の布材は、特に詳細な図示はしないが、アクリル板の一面から他面にかけて上辺で折返して覆うように縦断面略下向きＵ字形に設けられ、左右側辺に設けられたファスナーにより側面を閉塞しているが、図１に示すようにソファー２が並設されたとき、隣り合う仕切板４，４の対向辺のファスナーを連結することで、隣り合う仕切板４，４を隙間なく連結できるようになっている。
【００３７】
コンセントバー６は、固定板１６に取り付けられる水平な左右一対の取付片６０ａ，６０ｂと、これら取付片６０ａ，６０ｂの一端に固着され、座部１１の下面縁辺に長手方向にわたり延設される横長板状の隠蔽板６１と、から構成されている。取付片６０ａ，６０ｂには、取付ネジＮ４の取付孔６２が２個形成されており、下面側から取り付けた取付ネジＮ４を固定板１６の取付孔３７ａに螺入することで、隆起部３６ａに取り付けできる。つまり、コンセントバー６の左右一対の取付片６０ａ，６０ｂ及び前述した仕切板ブラケット５０ａ，５０ｂの左右一対の取付片５３ａ，５３ａの離間幅寸法は、隣り合う脚部材１０，１０（２０，２０）の隆起部３６ａ，３６ｂ間の離間幅寸法と同寸とされている。
【００３８】
隠蔽板６１の一端側には、横長の開口部６３が形成されているとともに、内面における開口部６３に対応する位置には、後述する電源タップＥ１を配設可能な電源タップ設置部６４が形成されていることで、コンセントの差し込み口を開口部６３に臨ませるように電源タップ設置部６４に電源タップＥ１を設置することができる。
【００３９】
このように、コンセントバー６は、取付片６０ａ，６０ｂを介して座部１１の下面に設けられた固定板１６に取り付けられる。また、取付片６０ａが隆起部３６ａの下面に取り付けられることで、その周囲にある固定孔３４ａ，３４ｂに取り付けられた固定ネジＮ１，Ｎ２の頭部が大径孔から突出しても、取付片５３ａの取り付け時に固定ネジＮ１，Ｎ２の頭部が邪魔になることがない。
【００４０】
また、各座部１１の下面左右側には、帯板状に形成された連結部材７０と、該連結部材７０が係止される被連結部材７１と、がそれぞれ１つずつ設けられている。連結部材７０は、一端を中心として上下方向を向く軸周りに回動可能に設けられ、側面の長手方向にわたり形成された係合部を被連結部材７１に形成された被係合部に係合することで、隣り合うソファー２，２を連結できるようになっている。尚、連結部材７０は、非使用時において座部１１の下面に隠蔽しておくことができる。
【００４１】
図７及び図８には、ソファーユニット１の使用状況の一例が示されている。各ソファー２における座部１１，２１の下方位置には物品収容ネット５が設けられていることで、例えば、コンセントバー６の電源タップＥ１から延出された配線Ｃを床面Ｙに垂れ下がることがないように収容したり、ローテーブル３の天板２２上で使用するノートパソコンＥ２から延出される配線Ｃ（電源ケーブルやＬＡＮケーブル等を含む）を収容したり、電源アダプタＥ３やルータＥ４等の電気器具類を収容することができる。
【００４２】
また、各ソファー２の下方位置に物品収容ネット５が取り付けられていることで、複数のソファー２を並設して使用する場合において、各ソファー２の下面に設けられた物品収容ネット５を跨ぐように配線Ｃを処理することが可能となる。
【００４３】
また、物品収容ネット５は、特に図８に示すように、座部１１の下面に対し略平行をなすように、該下面に近接した状態で配設される。詳しくは、四隅の取付孔４２を、各固定板１６の係止ピン付きネジＮ２に挿通して係止し、頭部により先端からの逸脱が規制された取付状態において、枠状部４１の各辺が張設されることで、配線Ｃや電源アダプタＥ３等の物品が座部１１の下面に沿うように収容され、これにより座部１１の下面に隠蔽されて利用者の目に付きにくくなるので、物品が体裁よく収容される。
【００４４】
また、網状部４０は伸縮性を有していることで、物品の非収容時や、軽量で薄型の物品を収容した際には、下方に大きく膨出したり垂れ下がったりして利用者の目に付くこともない。つまり、網状部が伸縮性を有していることで、物品の大きさや重量に応じて必要な分だけ変形するだけで、常に物品が座部１１の下面に押しつけられるように収容されるため、予め大きな物品を収容できるように下方に大きく膨出させた物品収容ネット５を使用しなくても、物品を収容することができる。
【００４５】
また、物品収容ネット５に電源アダプタＥ３や配線Ｃを出し入れする場合、図８（ａ）に示すように、物品収容ネット５の角部を摘んで外側に向けて水平に引張ることで、係止ピン付きネジＮ２から取付孔４２を簡単にはずすことができる。また、取り付けるときも取付孔４２を係止ピン付きネジＮ２に係止させるだけでよいため、着脱作業が容易になる。
【００４６】
尚、網状部４０を有することで、その都度係止ピン付きネジＮ２から取付孔４２をはずさなくても、例えば、配線Ｃを網状部４０から挿入したり引き出したりすることもできる。
【００４７】
また、係止ピン付きネジＮ２は、座部１１の下面の木材部分ではなく、金属性で強度の高い固定板１６に設けられていることで、物品収容ネット５に物品が収容されることで係止ピン付きネジＮ２に負荷がかかっても、物品収容ネット５を安定して保持することができる。
【００４８】
また、本実施例では、座部１１，２１が平面視略正方形状に形成されているとともに、各脚部材１０，２０の脚部１５間の離間幅、及び各脚部材１０，２０の取付孔３７ａ，３７の離間幅が等間隔であることで、仕切板４やコンセントバー６を座部１１，２１の四辺いずれにも取り付けることができるので、ソファー２やローテーブル３をレイアウト変更に応じて、仕切板４やコンセントバー６の取付位置の変更に容易に対応することができる。
【００４９】
また、本実施例では、脚部１５が座部１１，２１の下面角部近傍位置に配置されていることで、ソファー２やローテーブル３を並設したときに、隣り合う脚部１５，１５が近接するため、見栄えがよいばかりか、各ソファー２の脚部１５，１５間が広くなるため、物品収容ネット５への電源アダプタＥ３や配線Ｃ等を出し入れしやすくなる。さらに、コンセントバー６の隠蔽板６１により、物品収容ネット５や配線Ｃが外部から見えにくくなるので見栄えがよい。
【００５０】
また、このように付属物品としての仕切板４やコンセントバー６を座部１１，２１に対しネジにより取り付けることで、ソファー２やローテーブル３のレイアウト変更の際に、仕切板４やコンセントバー６を取り外して軽量化した状態で移動できるばかりか、着脱の際には床面Ｙと座部１１，２１との間の空間を利用してネジを取り付け、取り外しできるので、ソファー２等をひっくり返したりしなくても簡単に作業できる。
【００５１】
以上説明したように、本発明の実施例としてのソファーユニット１にあっては、座部１１，２１の下面に固定された固定板１６に物品収容ネット５を取り付け、該座部１１，２１の下面と該物品収容ネット５との間に物品（例えば、配線Ｃ、電源タップＥ１、電源アダプタＥ３、ルータＥ４等の電気器具類）を収容可能としたことで、床面Ｙと座部１１の下面との間に形成される空間を利用して、上記物品を見栄えよく、かつ、利用者の邪魔にならないように収容することができるばかりか、物品の収容や取り出しを、ソファー２の利用者が着座したままで容易に行うことができる。
【００５２】
また、物品収容ネット５は、座部１１，２１の下面に固定された脚部材１０，２０に対して着脱可能であることで、物品収容ネット５を座部１１，２１の下面から取り外したり取り付けたりできるばかりか、座部１１，２１を支持する強固な脚部材１０，２０に取り付けられることで、物品を安定して収容できる。
【００５３】
さらに、物品収容ネット５は、座部１１，２１の下面に固定された固定板１６に取り付けられることで、物品収容ネット５を座部１１，２１を支持する強固な固定板１６に取り付けできるので、物品を安定して収容できるばかりか、座部１１，２１に近い固定板１６に取り付けるので、物品を座部１１，２１の下面に沿うように収容することができる。
【００５４】
尚、本実施例では、係止ピン付固定ネジＮ２に取付孔４２を係止することで座部１１の下面に対し着脱できるようになっていたが、取付手段は上記のものだけでなく、例えば蝶ネジやラッチ、あるいは面ファスナー等により着脱可能としてもよい。
【００５５】
また、本実施例では、物品収容ネット５は、座部１１の下面の一部を構成する固定板１６に突設された係止ピン付固定ネジＮ２に係止することにより、座部１１の下面に取り付けられていることで、固定板１６の板厚分、枠状部４１と座部１１の底面との間に所定の隙間が形成される（図８参照）。よって、この隙間から配線Ｃを挿通させることができる。
【００５６】
また、本実施例では、物品収容ネット５を固定板１６に着脱可能に取り付けていたが、本発明はこれに限定されるものではなく、座部１１，２１の下方位置において、脚部材１０，２０の例えば脚部１５の所定高さ位置に取り付けられていてもよい。
【００５７】
また、本実施例では、物品保持部材の一例として網状部４０と枠状部４１とからなる網状部材にて構成されていたが、物品保持部材は、全てが網状部４０にて構成されているものでもよいし、メッシュ材等の布材にて構成されているものでもよい。さらに、図１０に示すように、金属材や合成樹脂材等により上向き凹状に形成された物品収容板５’等であってもよい。尚、このような場合、底面に孔５ａを設け、該孔５ａから配線Ｃを挿通できるようにしてもよい。
【００５８】
また、脚部材１０は、脚部１５及び該脚部１５の上端部に形成され座部１１に固定される固定板１６からなり、物品収容ネット５は、座部１１，２１を支持する強固な脚部材１０，２０の固定板１６に取り付けられていることで、物品収容ネット５を強度が高い固定板１６に取り付けできるので、物品を安定して収容できる。
【００５９】
また、物品収容ネット５は、網状部４０と、該網状部４０の周囲に設けられ座部１１の下面に対する取付孔４２を備える枠状部４１と、から構成され、枠状部４１は、網状部４０よりも硬質なゴム材にて形成されていることで、網状部４０周囲の硬質の枠状部４１に取付孔４２が設けられていることで、物品が収容されたときに該物品の重量により網状部４０が弛んでも、枠状部４１まで大きく弛むことはないので、物品の網状部４０の周囲からの落下を防止できる。
【００６０】
また、本実施例では、網状部材の一例として物品収容ネット５は、四隅に形成された取付孔４２を介して、略正方形状の固定板１６の内側角部、つまり、他の固定孔３４ａよりも座部１１，２１の中心位置に近い位置に形成された固定孔３４ｂに取り付けられた係止ピン付きネジＮ２に対して着脱可能に係止されているため、物品収容ネット５の取り付け、取り外しの際に、脚部１５や仕切板ブラケット５０ａ，５０ｂの取付片５３ａやコンセントバー６の取付片６０ａ，６０ｂ等と干渉することがない。また、ソファー２やローテーブル３のレイアウトを変更する際に、配線経路を自由に変更できる。
【００６１】
また、物品収容ネット５は、平面視略正方形状に形成されていたが、形状は種々に変更可能である。また、脚部材１０，２１に対し着脱可能に設けられていたが、例えば少なくとも一部に物品の出し入れ部を設け、他の部分は取り外し不能に固着してもよい。
【００６２】
また、脚部材１０，２０は、脚部１５及び該脚部１５の上端部に形成され座部１１，２１に固定される固定板１６からなり、固定板１６は、脚部材１０，２０を座部１１，２１に固定するための固定部としての固定孔３４ａ，３４ｂと、ソファー２やローテーブル３等の使用に関連して使用される付属物品であるコンセントバー６や仕切板４を座部１１に取り付けるための物品取付部としての取付孔３７ａ，３７ｂと、を備えている。
【００６３】
これにより、ソファー２やローテーブル３等に対しコンセントバー６や仕切板４を一体化できることで、コンセントバー６や仕切板４を独立して配設するための設置部材等を別途必要としないばかりか、固定板１６に、脚部材１０，２０を座部１１，２１に固定するための固定孔３４ａ，３４ｂとは別個に、付属物品を取り付けるための取付孔３７ａ，３７ｂが設けられていることで、コンセントバー６や仕切板４を、座部１１，２１を支持する強固な固定板１６に安定的に、かつ、床面Ｙと座部１１，２１の下面との間に形成される空間を利用して目立たない箇所で取り付けることができるため、取付部等が露呈して見栄えが悪くなったり邪魔になることがない。
【００６４】
尚、本実施例では、固定板１６を座部１１，２１に固定するための固定部及び付属物品が取り付けられる物品取付部は、ネジの固定孔３４ａ，３４ｂ及び取付孔３７ａ，３７ｂであったが、ネジ以外の固定部材の固定部や、ネジ以外の取付部材の取付部であってもよい。
【００６５】
また、本実施例では、付属物品の一例として、仕切板４及びコンセントバー６を適用していたが、これに限定されるものではなく、例えば家具であるソファー２やローテーブル３の使用に関連して使用されるものであれば、他の物品も含まれる。つまり、物品収容ネット５も付属部品であるといえる。
【００６６】
また、本実施例では、座部１１，２１は平面視略矩形状に形成され、脚部材１０，２０は、座部１１，２１の下面角部に固定され、物品取付部は、座部１１，２１の第１側辺に対応する取付孔３７ａ，３７ａ及び前記第１側辺に隣り合う第２側辺に対応する取付孔３７ｂ，３７ｂを含むことで、仕切板４及びコンセントバー６を、第１側辺（例えば、前側辺）でも第２側辺（例えば、左右側辺）でも取り付けることができる。
【００６７】
また、本実施例では、座部１１，２１は平面視略正方形状に形成され、また、固定板１６は平面視略正方形状に形成され、取付孔３７ａ，３７ｂは、第１側辺と第２側辺との間に延設される対角線を基準として線対称に配設されていることで、仕切板４及びコンセントバー６を座部１１，２１の四辺いずれでも同じように取り付けることができるばかりか、ソファー２やローテーブル３のレイアウト変更等に応じて、仕切板４及びコンセントバー６の設置自由度が制限されることがない。
【００６８】
また、本実施例では、脚部１５は、固定板１６における座部１１，２１の側辺に対応する外側辺近傍位置に配置されていることで、固定板１６に対し脚部１５が偏った位置に設けられていることで、取付孔３７ａ，３７ｂに対するコンセントバー６や仕切板４の取り付けの際に脚部１５が邪魔になりにくいので、施工性が向上する。具体的には、受部３３は平面視略正方形の固定板１６の下面略中央位置から一の角部に向けて延設され、他の固定孔３４ａ，３４ｂや取付孔３７ａ，３７ｂは固定板１６の周辺に沿って形成されるため、固定板１６の下面に広い空間が確保される。
【００６９】
また、固定ネジＮ１の固定孔３４ａ，３４ｂは、固定板１６の下面に対し所定高さ隆起した隆起部３６ａ，３６ｂに形成されていることで、固定孔３４ａ，３４ｂに取り付けられた固定ネジＮ１の頭部が固定板１６の下面に対し突出しても、隆起部３６ａ，３６ｂに取り付けられる取付片５３ａ，６０ａ，６０ｂと干渉することを回避できる。
【００７０】
尚、本実施例では、２つのソファー２と１つのローテーブル３とが一列に並設されていたが、このような家具のレイアウトは種々に変更可能であり、例えば図９（ａ）に示すように、２つのソファー２と１つのローテーブル３とをＬ字形に配置してもよいし、あるいは図示しないがＴ字形に配置してもよい。
【００７１】
また、図９（ｂ）に示すように、４つのソファー２と１つのローテーブル３とを、ローテーブル３を中心として十字形に配置してもよい。また、ソファー２やローテーブル３は、平面視略正方形状をなす直方体にて形成されているものに限定されず、例えば平面視略長方形状をなす直方体にて形成されていてもよいし、あるいは平面視略円形をなす柱状体に手構成されていてもよい。
【００７２】
以上、本発明の実施例を図面により説明してきたが、具体的な構成はこれら実施例に限られるものではなく、本発明の要旨を逸脱しない範囲における変更や追加があっても本発明に含まれる。
【００７３】
例えば、前記実施例では、家具の一例として、被支持部が支持部により床面Ｙから所定高さ位置に支持されるものであれば、ソファー２やテーブル３以外のものでもよく、例えばソファー２とともに使用されるソファーベッドや足載せ台等を含む。
【符号の説明】
【００７４】
１              ソファーユニット
２ａ，２ｂ      ソファー（家具）
３              ローテーブル（家具）
４              仕切板（付属物品）
５              物品収容ネット（付属物品）
６              コンセントバー（付属物品）
１０，２０      脚部材（支持部）
１１，２１      座部（被支持部）
１６            固定板
２２            天板
３３            受部
３４ａ，３４ｂ  固定孔（固定部）
３６ａ，３６ｂ  隆起部（物品取付部、第１取付部、第２取付部）
３７ａ，３７ｂ  取付孔（物品取付部、第１取付部、第２取付部）
４０            網状部
４１            枠状部
４２            取付孔
５０ａ，５０ｂ  仕切ブラケット
Ｅ１〜Ｅ４      電気器具
【図１】
0005947521.tif 000002
【図２】
0005947521.tif 000003
【図３】
0005947521.tif 000004
【図４】
0005947521.tif 000005
【図５】
0005947521.tif 000006
【図６】
0005947521.tif 000007
【図７】
0005947521.tif 000008
【図８】
0005947521.tif 000009
【図９】
0005947521.tif 000010
【図１０】
0005947521.tif 000011